(57)【要約】【課題】たとえ内部にスキマーが挿入された場合であっても、正規の磁気ヘッドによる磁気データの読取を妨げることなく、妨害磁界を用いてスキマーによる磁気データの読取を阻止することが可能なカードリーダ装置の提供を目的とする。【解決手段】当該カードリーダ装置Ａ１は、筐体１１と、筐体１１内への磁気カードＣの通過を許否する開閉可能なシャッタ３１１と、筐体１１内に受け入れた磁気カードＣの磁気データを読み取る磁気ヘッド５１１と、シャッタ３１１の背面側に設けられ、少なくとも磁気ヘッド５１１とシャッタ３１１との間の領域Ｒに妨害磁界を生じさせる妨害磁界発生装置７１１と、妨害磁界の発生を制御する妨害磁界制御部６１と、妨害磁界発生装置７１１により発生した妨害磁界が磁気ヘッド５１１による磁気データの読取を妨げないように、磁気ヘッド５１１への妨害磁界の作用を緩和させる妨害磁界緩和部８１と、を備えている。【選択図】図１
2019197265.tif 000002
【特許請求の範囲】
【請求項１】
筐体と、
この筐体に設けられ、前記筐体内への磁気カードの通過を許否する開閉可能なシャッタと、
前記筐体内に設けられ、前記筐体内に受け入れた前記磁気カードの磁気データを読み取る磁気ヘッドと、
前記シャッタの背面側に設けられ、少なくとも前記磁気ヘッドと前記シャッタとの間の領域に妨害磁界を生じさせる妨害磁界発生装置と、
前記妨害磁界発生装置による妨害磁界の発生を制御する妨害磁界制御部と、
前記妨害磁界発生装置により発生した妨害磁界が前記磁気ヘッドによる前記磁気データの読取を妨げないように、前記磁気ヘッドへの前記妨害磁界の作用を緩和させる妨害磁界緩和部と、を備えているカードリーダ装置。
【請求項２】
妨害磁界緩和部が、妨害磁界発生装置と磁気ヘッドとの間に配置され、妨害磁界を遮蔽する妨害磁界遮蔽部材である請求項１に記載のカードリーダ装置。
【請求項３】
妨害磁界緩和部は、磁気カードが磁気ヘッドにより磁気データの読取を行う位置にあるか否かを検出する磁気カード位置検出部と、この磁気カード位置検出部が、磁気カードが磁気データの読取を行う位置にあると検出した場合、妨害磁界制御部に対して妨害磁界発生装置による妨害磁界の発生を停止するように指示する妨害磁界停止指示部とを有している請求項１に記載のカードリーダ装置。
【請求項４】
妨害磁界発生装置が筐体内に配置されている請求項１から請求項３のいずれか１項に記載のカードリーダ装置。
【請求項５】
妨害磁界発生装置が筐体外に配置されている請求項１から請求項３のいずれか１項に記載のカードリーダ装置。
【請求項６】
妨害磁界発生装置により発生した妨害磁界を、少なくとも磁気ヘッドとシャッタとの間の領域に誘導する妨害磁界誘導部を備えている請求項１から請求項５のいずれか１項に記載のカードリーダ装置。
【請求項７】
妨害磁界発生装置が、磁気カードの磁気データを擬似した妨害磁界を発生させる請求項１から請求項６のいずれか１項に記載のカードリーダ装置。
【発明の詳細な説明】
【技術分野】
【０００１】
本発明は、カードリーダ装置に関する。
【背景技術】
【０００２】
現金自動預け払機（ＡＴＭ）などの取引処理装置等で用いる磁気カードの情報を不正に取得する手法として、例えば、磁気データ不正取得用の磁気ヘッドを取引処理装置等に設置し、この磁気ヘッドにより磁気カードの磁気データを取得する手法（スキミング）がある。
【０００３】
このような手法では、通常、磁気ヘッドが取引処理装置等の磁気カード挿入口に被せるように設置されるため、挿入口の近傍に妨害磁界を生じさせることで磁気データの不正な読み取りを阻止している。
【０００４】
他方、近年では、上述した挿入口近傍の妨害磁界を逃れるため、小型の磁気ヘッドが取り付けられた薄型のスキマーを挿入口の内側まで差し入れ、妨害磁界を免れながら磁気データを取得する手法も出現している。
【０００５】
このような新たな手法への対抗策としては、例えば、カードリーダの内部にスキミング用装置が取り付けられたことを検知する技術が開示されている（例えば、特許文献１参照）。
【０００６】
この技術によれば、静電容量センサによりスキミング用装置の取り付けを検知することができ、上記装置の取り付けを検知すると所定のアラームが通知されるため、磁気データの読み取りを阻止することが可能になる。
【先行技術文献】
【特許文献】
【０００７】
【特許文献１】特開２０１７−２１９９７１号公報
【発明の概要】
【発明が解決しようとする課題】
【０００８】
しかしながら、上述したような従来の手法では、スキミング用装置の取り付けを検知してアラームを通知するに留まるため、磁気データの読み取りを直接的に阻止するものではなく、強行されることで磁気データを読み取られる虞がある。
【０００９】
一方、カードリーダ装置内に妨害磁界発生装置を設けてカードリーダ装置内に妨害磁界を生じさせる手法も考えられる。しかしながら、単に妨害磁界を生じさせるだけではこの妨害磁界が正規の磁気ヘッドによる磁気データの読取にも影響を与えることもあり、正確な読み取りを妨げる虞がある。
【００１０】
本発明は、以上のような事情に基づいてなされたものであり、その目的は、たとえ内部にスキマーが挿入された場合であっても、正規の磁気ヘッドによる磁気データの読取を妨げることなく、妨害磁界を用いてスキマーによる磁気データの読取を阻止することが可能なカードリーダ装置を提供することにある。
【課題を解決するための手段】
【００１１】
上記課題を解決するためになされた発明は、
筐体と、
この筐体に設けられ、前記筐体内への磁気カードの通過を許否する開閉可能なシャッタと、
前記筐体内に設けられ、前記筐体内に受け入れた前記磁気カードの磁気データを読み取る磁気ヘッドと、
前記シャッタの背面側に設けられ、少なくとも前記磁気ヘッドと前記シャッタとの間の領域に妨害磁界を生じさせる妨害磁界発生装置と、
前記妨害磁界発生装置による妨害磁界の発生を制御する妨害磁界制御部と、
前記妨害磁界発生装置により発生した妨害磁界が前記磁気ヘッドによる前記磁気データの読取を妨げないように、前記磁気ヘッドへの前記妨害磁界の作用を緩和させる妨害磁界緩和部と、を備えているカードリーダ装置である。
【００１２】
なお、本明細書において、「背面側」とは、水平方向において、シャッタが設けられた部位に対して正規の磁気ヘッドが存在する方向を意味する。但し、正規の磁気ヘッドとは、筐体内に適正に備えられた磁気データ読取用の磁気ヘッドを指す。
【発明の効果】
【００１３】
本発明は、たとえ内部にスキマーが挿入された場合であっても、正規の磁気ヘッドによる磁気データの読取を妨げることなく、妨害磁界を用いてスキマーによる磁気データの読取を阻止することが可能なカードリーダ装置を提供することができる。
【図面の簡単な説明】
【００１４】
【図１】本発明の第１の実施形態を示す概略的断面図である。
【図２】図１の概略的ブロック図である。
【図３】図１の動作状態を示す概略的断面図である。
【図４】図２の波形の一例を示す概略図であって、（ａ）は妨害磁界の波形、（ｂ）は磁気カードの波形をそれぞれ示している。
【図５】図２の妨害波形の他の例を示す概略図である。
【図６】本発明の第２の実施形態を示す概略的断面図である。
【図７】図６の概略的ブロック図である。
【図８】第２の実施形態の読取タイミングおよび波形を示す概略図であり、（ａ）は磁気カードの検出タイミング、（ｂ）は妨害磁界の波形、（ｃ）は正規の磁気ヘッドによる読取波形、（ｄ）はスキマーの磁気ヘッドの読取タイミング、（ｅ）はスキマーの磁気ヘッドの読取波形をそれぞれ示している。
【図９】本発明の第３の実施形態を示す概略的断面図である。
【図１０】図９の概略的ブロック図である。
【図１１】図９の動作状態を示す概略的断面図である。
【発明を実施するための形態】
【００１５】
当該カードリーダ装置は、筐体と、この筐体に設けられ、上記筐体内への磁気カードの通過を許否する開閉可能なシャッタと、上記筐体内に設けられ、上記筐体内に受け入れた上記磁気カードの磁気データを読み取る磁気ヘッドと、上記シャッタの背面側に設けられ、少なくとも上記磁気ヘッドと上記シャッタとの間の領域に妨害磁界を生じさせる妨害磁界発生装置と、この妨害磁界発生装置により発生した妨害磁界が上記磁気ヘッドによる上記磁気データの読取を妨げないように、上記磁気ヘッドへの上記妨害磁界の作用を緩和させる妨害磁界緩和部と、を備えている。
【００１６】
なお、本明細書において、「前面側」とは、水平方向において、背面側と反対の方向を意味する。
【００１７】
以下、本発明の第１〜第３の実施形態について図面を参照して説明するが、本発明は、当該図面に記載の実施形態にのみ限定されるものではない。
【００１８】
［第１の実施形態］
図１は、本発明の第１の実施形態を示す概略的断面図である。また、図２は、図１の概略的ブロック図である。当該カードリーダ装置は、例えば、金融機関に設置されたＡＴＭなど取引処理装置等に搭載され、顧客が所有する磁気カードに記録された磁気データを読み取る。当該カードリーダ装置Ａ１は、図１、図２に示すように、概略的に、筐体１１と、カード挿入検知部２１と、開閉部３１と、搬送部４１と、読取部５１と、妨害磁界制御部６１と、妨害磁界発生部７１と、妨害磁界緩和部８１と、ホストインターフェイス９１と、記憶部９２と、制御部９３とにより構成されている。
【００１９】
筐体１１は、後述する読取部５１の磁気ヘッド５１１を収納する。この筐体１１は、例えば、壁１１ｂの一部に磁気カードＣを挿脱可能な開口１１ａを有しており、開閉部３１のシャッタ３１１を閉じることで内部に略閉空間が形成される。この筐体１１は、例えば取引処理装置１００内に配置され、利用者が磁気カードＣを挿入する取引処理装置１００の挿入口１００ａと上述した筐体１１の開口１１ａと繋がっている。
【００２０】
カード挿入検知部２１は、磁気カードＣが取引処理装置１００の挿入口１００ａを介して挿入されたか否か、挿入された磁気カードＣが当該カードリーダ装置Ａ１にて読取可能な磁気カードであるか否か等を検知する。このカード挿入検知部２１は、例えば、マイクロスイッチ２１１と小型磁気ヘッド２１２とを有しており、磁気カードＣの挿入によりマイクロスイッチ２１１が作動すると、この磁気カードＣの磁気データを小型磁気ヘッド２１２が読み取り、読取可能な磁気カードであると判断したときは磁気カードＣを更に筐体１１内の後述するシャッタ３１１よりも奥まで搬送し、読取可能な磁気カードではないと判断したときは磁気カードＣを挿入口１００ａまで返送する。
【００２１】
開閉部３１は、筐体１１内への磁気カードＣの通過を許否する。この開閉部３１は、例えば、筐体１１の開口１１ａに設けられ、カードリーダ装置Ａ１への磁気カードＣの入出を制限する開閉可能なシャッタ３１１と、このシャッタ３１１の開閉を制御するシャッタ制御装置３１２と、このシャッタ制御装置３１２からの指示に基づきシャッタ３１１の開閉駆動を行うシャッタ駆動装置３１３（ソレノイドなど）とを有している。
【００２２】
搬送部４１は、筐体１１内に挿入された磁気カードＣを所定の部位に搬送する。この搬送部４１は、例えば、磁気カードＣ搬送用の複数のローラ４１１と、このローラ４１１を回転させるためのローラ駆動装置４１２（モータなど）と、このローラ駆動装置４１２の駆動を制御するローラ制御装置４１３等で構成され、対向する一対のローラ４１１間に磁気カードＣを挟み、ローラ駆動装置４１２によりローラ４１１を回転させることで磁気カードＣを往復搬送する。
【００２３】
読取部５１は、筐体１１内に受け入れた磁気カードＣの磁気データを読み取る。この読取部５１は、具体的には、例えば、筐体１１内に適正に設けられた磁気データ読取用の正規の磁気ヘッド５１１と、この磁気ヘッド５１１を駆動するための読取部駆動装置５１２とで構成されており、磁気カードＣが磁気ヘッド５１１の読取位置を通過する際、磁気ヘッド５１１が磁気カードＣの磁気ストライプに記録された磁気データを読み取る。
【００２４】
妨害磁界制御部６１は、後述する妨害磁界発生装置７１１による妨害磁界の発生を制御する。この妨害磁界制御部６１は、具体的には、例えば、妨害磁界制御装置６１１で構成されており、この妨害磁界制御装置６１１が妨害磁界発生装置７１１に指示して妨害磁界を発生させたり、妨害磁界の発生を停止させたりする。また、妨害磁界制御部６１は、妨害磁界の波形を制御するようにしてもよい。なお、本実施形態における妨害磁界制御部６１は、少なくとも磁気ヘッド５１１が磁気データの読取を行っている間、所定の波形の妨害磁界が絶えず発生するように妨害磁界発生装置７１１を制御する。
【００２５】
妨害磁界発生部７１は、少なくとも磁気ヘッド５１１とシャッタ３１１との間の領域（以下、「領域Ｒ」ともいう）に妨害磁界を生じさせる。この妨害磁界発生部７１は、例えば、シャッタ３１１の背面側に設けられた妨害磁界を発生させる妨害磁界発生装置７１１と、この妨害磁界発生装置７１１を駆動するための駆動回路とで構成することができる。本実施形態では、妨害磁界発生装置７１１としてコイルアンテナが採用され、このコイルアンテナが筐体１１内の磁気ヘッド５１１とシャッタ３１１との間に配置されている。このコイルアンテナに電流を流すことで妨害磁界が発生（放射）する。これにより、カードリーダ装置Ａ１をより一体的に形成することができる。
【００２６】
ここで、妨害磁界発生装置７１１が発生する妨害磁界の波形は、磁気データの波形とは全く異なる波形（図４（ａ）参照）であってもよく、磁気データの波形を模擬した波形（図５参照）であってもよいが、妨害磁界発生装置７１１は、磁気カードＣの磁気データの波形を擬似した波形の妨害磁界を発生させることが好ましい。スキマーＳは、通常、常時磁気信号の読取動作をしており、この読み取った磁気信号をスキマーＳの記憶装置（不図示）に格納し、スキマーＳを回収した後に上記記憶装置中の磁気信号が解析されることもある。その際、例えば、明らかに異なる波形の信号を妨害磁界由来のものと判断し、この信号を除去することで磁気データの復元が試みられる。このため、上述したように、磁気データに擬似する妨害磁界を発生することで、スキマーＳによる磁気データの読取を攪乱することができ、スキマーＳによる磁気データの読取をより確実に阻止することができる。
【００２７】
妨害磁界緩和部８１は、妨害磁界発生装置７１１により発生した妨害磁界が磁気ヘッド５１１による磁気データの読取を妨げないように、磁気ヘッド５１１への妨害磁界の作用を緩和させる。本実施形態では、妨害磁界緩和部８１が、妨害磁界発生装置７１１と磁気ヘッド５１１との間に配置され、妨害磁界を遮蔽するつい盾状の妨害磁界遮蔽部材８１１であり、磁気ヘッド５１１が磁気的に妨害磁界発生装置７１１から隠れる位置（妨害磁界発生装置７１１からの妨害磁界の影響を無視できる位置）に配置されている。このような妨害磁界遮蔽部材８１１を構成する材料としては、例えば、電磁鋼板などの磁性体等が挙げられる。
【００２８】
このように、妨害磁界緩和部８１が妨害磁界遮蔽部材８１１であることで、妨害磁界発生装置７１１が発生する妨害磁界に指向性を持たせることができ、磁気ヘッド５１１への妨害磁界の緩和により磁気ヘッド５１１が正確に磁気データを読み取ることができる。
【００２９】
ホストインターフェイス９１は、当該カードリーダ装置Ａ１と取引処理装置１００の本体との間で、当該カードリーダ装置Ａ１で読み取った磁気カードＣの情報（磁気データ）を送受信する。記憶部９２は、記憶装置９２１により各種の情報を記憶する。制御部９３は、上述した妨害磁界発生部７１などの各部の動作を制御装置９３１を用いて制御する。
【００３０】
なお、上述したカード挿入検知部２１、開閉部３１、搬送部４１、読取部５１、妨害磁界制御部６１等のそれぞれが行う機能は、例えば、図示していない中央演算処理装置（ＣＰＵ）、メモリ、および記憶装置、並びにこれらを接続するバス等を備えたハードウェアを用い、このハードウェア上にて所定のコンピュータプログラムを動作させることで実現（制御）することができる。
【００３１】
次に、当該カードリーダ装置Ａ１の動作態様について説明する。利用者が取引処理装置１００の挿入口１００ａから磁気カードＣを挿入すると、カード挿入検知部２１のマイクロスイッチ２１１が作動して小型磁気ヘッド２１２が磁気カードＣの磁気データを読み取る。この際、カード挿入検知部２１が、読取可能な磁気カードでないと判断したときは磁気カードＣを挿入口１００ａまで返送し、読取可能な磁気カードであると判断したときは磁気カードＣを筐体１１内のシャッタよりも奥まで搬送しかつシャッタ３１１を閉じる。次いで、図３に示すように、妨害磁界制御部６１からの指示により妨害磁界発生装置７１１から妨害磁界を発生させる（図３は、妨害磁界を模式的に図示している）。なお、妨害磁界発生装置７１１は、磁気カードＣの挿入有無にかかわらず、常時妨害磁界を発生するようにしてもよい。
【００３２】
次に、磁気カードＣが磁気ヘッド５１１による読取位置まで達すると、磁気ヘッド５１１が磁気カードＣに格納されている磁気データを読み取る。この際、妨害磁界遮蔽部材８１１よりも前面側では、磁気カードＣから発せられる磁気データの信号と妨害磁界との混在により磁界が攪乱されているため、ここに置かれたスキマーＳの磁気ヘッドＳ１により読み取られた波形からは元の磁気データを復元することが困難となり、結果としてスキマーＳを用いた磁気データの復元が阻止される。一方、妨害磁界遮蔽部材８１１よりも背面側では、妨害磁界が妨害磁界遮蔽部材８１１により遮蔽されているため、妨害磁界の影響が抑制されて磁気ヘッド５１１により磁気データの正確な波形を読み取ることができる。
【００３３】
以上のように、当該カードリーダ装置Ａ１は、上述した構成であるので、たとえカードリーダ装置Ａ１の内部にスキマーＳが挿入された場合であっても、正規の磁気ヘッド５１１による磁気データの読取を妨げることなく、妨害磁界を用いてスキマーＳによる磁気データの読取を阻止することができる。
【００３４】
[第２の実施形態]
図６は、本発明の第２の実施形態を示す概略的断面図である。また、図７は、図６の概略的ブロック図である。当該カードリーダ装置Ａ２は、図６、図７に示すように、概略的に、筐体１１と、カード挿入検知部２１と、開閉部３１と、搬送部４１と、読取部５１と、妨害磁界制御部６２と、妨害磁界発生部７１と、妨害磁界緩和部８２と、ホストインターフェイス９１と、記憶部９２と、制御部９３とにより構成されている。当該カードリーダ装置Ａ２は、妨害磁界制御部６２および妨害磁界緩和部８２を備えている点で、第１の実施形態の構成と異なっている。なお、その他の構成は、それぞれ第１の実施形態のものと同様であるので、同一部分には同一符号を付してその詳細な説明は省略する。
【００３５】
妨害磁界制御部６２は、妨害磁界発生装置７１１による妨害磁界の発生を制御する。本実施形態における妨害磁界制御部６２は、妨害磁界制御装置６２１で構成されており、この妨害磁界制御装置６２１が、後述する妨害磁界緩和部８２の妨害磁界停止指示部８２２からの指示に基づき、妨害磁界発生装置７１１による妨害磁界の発生を所定の期間だけ停止させる。なお、上述した所定の期間とは、少なくとも磁気ヘッド５１１が磁気カードＣの磁気データを読み取っている期間を含んでいる。
【００３６】
妨害磁界緩和部８２は、妨害磁界発生装置７１１により発生した妨害磁界が磁気ヘッド５１１による磁気データの読取を妨げないように、磁気ヘッド５１１への妨害磁界の作用を緩和させる。本実施形態では、妨害磁界緩和部８２は、磁気カード位置検出部８２１と、妨害磁界停止指示部８２２とを有している。
【００３７】
磁気カード位置検出部８２１は、磁気カードＣが磁気ヘッド５１１により磁気データの読取を行う位置にあるか否かを検出する。この磁気カード位置検出部８２１は、具体的には、例えば、光センサなどの複数のセンサｓがカードリーダ装置Ａ２内における磁気カードＣ搬送路の各部に配設された磁気カード位置検出装置８２１１で構成されており、この磁気カード位置検知装置８２１１が各センサｓの出力に基づいてカードリーダ装置Ａ２内における磁気カードＣの位置を特定する。なお、センサｓの配置は、磁気ヘッド５１１が磁気データを読み取るタイミングを検知できる限り限定されず、磁気ヘッド５１１の前面側および／または背面側に配置することができる。
【００３８】
妨害磁界停止指示部８２２は、磁気カード位置検出部８２１が、磁気カードＣが読取を行う位置（読取位置）にあると検出した場合、妨害磁界制御部６２に対して妨害磁界発生装置７１１による妨害磁界の発生を停止するように指示をする。本実施形態では、妨害磁界停止指示装置８２２１が妨害磁界制御装置６２１に対して妨害磁界発生装置７１１による妨害磁界の発生を停止するように指示をする。
【００３９】
次に、当該カードリーダ装置Ａ２の動作態様について説明する。なお、挿入口１００ａへの磁気カードＣの挿入から妨害磁界の発生までの当該カードリーダ装置Ａ２の動作の説明は、第１の実施形態のものを援用する。
【００４０】
シャッタ３１１を閉じて妨害磁界が発生した後、磁気カードＣが磁気ヘッド５１１の読取位置まで達すると、磁気カードＣに格納されている磁気データが読み取られる。この読取の際、本動作態様では、妨害磁界発生装置７１１から発生している妨害磁界を一時的に停止させる。具体的には、例えば、磁気カード位置検出部８２１により磁気カードＣが読取位置にあると検出した場合、妨害磁界停止指示部８２２が妨害磁界制御部６２に妨害磁界の停止信号を発し、この停止信号を受けて妨害磁界制御部６２が妨害磁界発生装置７１１による妨害磁界の発生を一時的に停止させる。
【００４１】
次に、磁気ヘッド５１１が磁気カードＣの磁気データを読み取る。このとき、妨害磁界の発生が一時的に停止しているため、この停止期間中に磁気ヘッド５１１に磁気データを読み取らせることで、磁気ヘッド５１１は妨害磁界の影響を受けることなく磁気データを正確に読み取ることができる。なお、上記停止期間が終了した後は、再び妨害磁界発生装置７１１から妨害磁界を発生させ、スキマーＳによる磁気データの読取を阻止する。
【００４２】
ここで、読み取られる波形の一例について説明する。図８は、第２の実施形態の読取タイミングおよび波形を示す概略図である。この図は、妨害磁界の発生が一時的に停止されるタイミングと、磁気ヘッド５１１が読み取る波形との関係を示している。なお、図８の横軸は時間軸であり、図８（ａ）〜図８（ｅ）の時刻（横軸上の位置）は互いに対応している。例えば、図８（ａ）には、磁気カード位置検出装置８２１１による磁気カードＣの検出タイミング、すなわち、磁気ヘッド５１１が磁気データを読み取るタイミングが図示されており、時刻ｔ１が読取開始時、時刻ｔ２が読取終了時をそれぞれ示している。時刻ｔ１と時刻ｔ２との間では妨害磁界の発生が一時停止しており（図８（ｂ）参照）、この停止期間中に磁気カードＣの磁気データが磁気ヘッド５１１により正確に読み取られる（図８（ｃ）参照）。他方、磁気カードＣがスキマーＳの磁気ヘッドＳ１の読取位置を通過するのは、磁気ヘッド５１１とは異なるタイミングであり（図８（ｄ）参照）、磁気ヘッドＳ１で読み取られる波形は、少なくとも一部に妨害磁界の影響を受けた波形（妨害磁界により攪乱された波形）となる（図８（ｅ）参照）。このため、磁気ヘッドＳ１にて判読される波形は不完全なものとなって正確な磁気データの読取が阻止される。
【００４３】
以上のように、当該カードリーダ装置Ａ２は、上述した構成であるので、磁気ヘッド５１１による磁気データの読取中に妨害磁界発生装置７１１からの妨害磁界を一時的に停止させることで、妨害磁界に影響されることなく正確かつ確実に磁気データを読み取ることができる。
【００４４】
[第３の実施形態]
図９は、本発明の第３の実施形態を示す概略的断面図である。また、図１０は、図９の概略的ブロック図である。当該カードリーダ装置Ａ３は、図９、図１０に示すように、概略的に、筐体１１と、カード挿入検知部２１と、開閉部３１と、搬送部４１と、読取部５１と、妨害磁界制御部６２と、妨害磁界発生部７３と、妨害磁界誘導部７５と、妨害磁界緩和部８２と、ホストインターフェイス９１と、記憶部９２と、制御部９３とにより構成されている。当該カードリーダ装置Ａ３は、妨害磁界発生部７３および妨害磁界誘導部７５の構成が第２の実施形態と異なっている。なお、その他の構成は、それぞれ第２の実施形態のものと同様であるので、同一部分には同一符号を付してその詳細な説明は省略する。また、当該カードリーダ装置Ａ３の動作態様は、第２の実施形態のものと同様であるので、その説明を援用する。
【００４５】
妨害磁界発生部７３は、少なくとも磁気ヘッド５１１とシャッタ３１１との間の領域Ｒに妨害磁界を生じさせる。この妨害磁界発生部７３は、具体的には、例えば、妨害磁界発生装置７３１と、この妨害磁界発生装置７３１を駆動するための駆動回路とで構成することができる。妨害磁界発生装置７３１は、シャッタ３１１の背面側かつ筐体１１外に配置される。本実施形態では、妨害磁界発生装置７３１としてコイルアンテナが採用されており、このコイルアンテナが筐体１１の磁気ヘッド５１１を挟んでシャッタ３１１とは反対側の筐体１１の壁１１ｂ外表面上に取り付けられ、壁１１ｂを通して妨害磁界を領域Ｒに生じさせる。
【００４６】
妨害磁界誘導部７５は、妨害磁界発生装置７３１により発生した妨害磁界を、少なくとも磁気ヘッド５１１とシャッタ３１１との間の領域Ｒに誘導する（図１１参照）。この妨害磁界誘導部７５は、妨害磁界を誘導できるように、例えば、コイルアンテナが取り付けられた部位から領域Ｒまで延びる、磁性体で形成された長手形状の妨害磁界誘導部材７５１で構成することができる。なお、この妨害磁界誘導部材７５１は、通常スキマーＳが磁気カードＣの搬送経路に沿って設置されるため、この搬送経路に沿った長手形状であることが好ましい。なお、上記磁性体としては、例えば、妨害磁界遮蔽部材８１１の構成材料として例示したものと同様の材料を例示することができる。
【００４７】
以上のように、当該カードリーダ装置Ａ３は、妨害磁界発生装置７３１が筐体１１外に配置されているので、妨害磁界発生装置７３１の大きさに依ることなくカードリーダ装置Ａ３を形成することができる。また、当該カードリーダ装置Ａ３は、妨害磁界発生装置７３１により発生した妨害磁界を、少なくとも磁気ヘッド５１１とシャッタ３１１との間の領域Ｒに誘導するので、妨害磁界に指向性を持たせることができ、例えば妨害磁界発生装置７３１と領域Ｒとの距離が遠い場合に投入するような多大な電力（強い妨害磁界を発生させるために必要な電力）を削減することができる等、領域Ｒに効果的に妨害磁界を生じさせることができる。
【００４８】
なお、本発明は、上述した実施形態の構成に限定されるものではなく、特許請求の範囲によって示され、特許請求の範囲と均等の意味および範囲内での全ての変更が含まれることが意図される。
【００４９】
例えば、上述した第１および第２の実施形態では、妨害磁界発生装置７１１が磁気ヘッド５１１とシャッタ３１１との間に配置されたカードリーダ装置Ａ１、Ａ２について説明したが、本発明の効果を損なわない限り、妨害磁界発生装置がシャッタの背面側のいずれの部位に配置されたカードリーダ装置であってもよい。
【００５０】
また、上述した第３の実施形態では、妨害磁界発生装置７３１および妨害磁界誘導部材７５１の両者を備えているカードリーダ装置Ａ３について説明したが、当該カードリーダ装置は、これら妨害磁界発生装置および妨害磁界誘導部材を備えていないものや、これらのうちのいずれか一方の構成のみ備えているものであってもよい。
【符号の説明】
【００５１】
Ａ１、Ａ２、Ａ３  カードリーダ装置
１１  筐体
６１  妨害磁界制御部
７５  妨害磁界誘導部
８１  妨害磁界緩和部
３１１  シャッタ
５１１  磁気ヘッド
７１１、７３１  妨害磁界発生装置
８１１  妨害磁界遮蔽部材
８２１  磁気カード位置検出部
８２２  妨害磁界停止指示部
Ｒ  領域
Ｃ  磁気カード
【図１】
2019197265.tif 000003
【図２】
2019197265.tif 000004
【図３】
2019197265.tif 000005
【図４】
2019197265.tif 000006
【図５】
2019197265.tif 000007
【図６】
2019197265.tif 000008
【図７】
2019197265.tif 000009
【図８】
2019197265.tif 000010
【図９】
2019197265.tif 000011
【図１０】
2019197265.tif 000012
【図１１】
2019197265.tif 000013